(57)【要約】  被写体からの光を撮像素子上に結像させる撮像レンズにおいて、撮像素子側のレンズを固定するとともに、最も被写体側のレンズを含む複数のレンズを有するフォーカスレンズ群を光軸方向に移動させることによりフォーカシングを行う。
2010143459.tif 000002
【特許請求の範囲】
【請求項１】
被写体からの光を撮像素子上に結像させる撮像レンズにおいて、
最も撮像素子側のレンズを固定するとともに、最も被写体側のレンズを含む複数のレンズを有するフォーカスレンズ群を光軸方向に移動させることによりフォーカシングを行うことを特徴とする撮像レンズ。
【請求項２】
前記フォーカスレンズ群は少なくとも３枚のレンズを備えることを特徴とする請求項１に記載の撮像レンズ。
【請求項３】
最も被写体側のレンズの径が、最も撮像素子側のレンズの径よりも小さいことを特徴とする請求項１または請求項２に記載の撮像レンズ。
【請求項４】
撮像素子上の像面における最大像高をＹ、無限遠被写体にフォーカシングしたときの、最も被写体側レンズ面の面頂点から像面までの光軸上の距離をＴＬで表すときに、
０．４＜Ｙ／ＴＬ＜０．８
の関係を満たすことを特徴とする請求項１〜請求項３のいずれかに記載の撮像レンズ。
【請求項５】
フォーカスレンズ群の焦点距離をｆｍ、撮像レンズの全系の焦点距離をｆで表すときに、
０．５＜ｆｍ／ｆ＜１．５
の関係を満たすことを特徴とする請求項１〜請求項４のいずれかに記載の撮像レンズ。
【請求項６】
フォーカスレンズ群の最も像側に位置するレンズの焦点距離をｆｍｉ、撮像レンズの全系の焦点距離をｆで表すときに、
１＜｜ｆｍｉ／ｆ｜＜１５
の関係を満たすことを特徴とする請求項１〜請求項５のいずれかに記載の撮像レンズ。
【請求項７】
フォーカスレンズ群の最も像側のレンズ面の曲率半径をｒｍ、固定されるレンズの最も被写体側のレンズ面の曲率半径をｒｆで表すときに、
０．３＜ｒｍ／ｒｆ＜５
の関係を満たすことを特徴とする請求項１〜請求項６のいずれかに記載の撮像レンズ。
【請求項８】
被写体側から順に、正のパワーを有し被写体側に凸面を向けた第１レンズと、負のパワーを有する第２レンズと、正又は負のパワーを有する第３レンズと、正又は負のパワーを有する第４レンズと、一方の面が光軸との交点以外の位置に変曲点を有する非球面形状である第５レンズとを備えることを特徴とする請求項１〜請求項７のいずれかに記載の撮像レンズ。
【請求項９】
被写体側から順に、正のパワーを有し被写体側に凸面を向けた第１レンズと、負のパワーを有し像側に凹面を向けた第２レンズと、正又は負のパワーを有する第３レンズと、正パワーを有し像側に凸面を向けた第４レンズと、負のパワーを有し像側に凹面を向けた第５レンズとを備え、前記フォーカスレンズ群は前記第１〜第３レンズからなることを特徴とする請求項１〜請求項８のいずれかに記載の撮像レンズ。
【請求項１０】
被写体側から順に、正のパワーを有し被写体側に凸面を向けた第１レンズと、負のパワーを有し被写体側に凹面を向けた第２レンズと、正のパワーを有する第３レンズと、正又は負のパワーを有する第４レンズと、正又は負のパワーを有する第５レンズとを備え、前記フォーカスレンズ群は前記第１〜第４レンズからなることを特徴とする請求項１〜請求項８のいずれかに記載の撮像レンズ。
【請求項１１】
請求項１〜請求項１０のいずれかに記載の撮像レンズと、前記フォーカスレンズ群を駆動するアクチュエータとを備えることを特徴とする撮像装置。
【請求項１２】
前記撮像レンズは少なくとも５枚のレンズを備えることを特徴とする請求項１１に記載の撮像装置。
【請求項１３】
前記アクチュエータは圧電素子を含むことを特徴とする請求項１１または請求項１２に記載の撮像装置。
【請求項１４】
前記アクチュエータはボイスコイルモータを含むことを特徴とする請求項１１または請求項１２に記載の撮像装置。
【請求項１５】
前記アクチュエータは形状記憶合金を含むことを特徴とする請求項１１または請求項１２に記載の撮像装置。
【請求項１６】
請求項１１〜請求項１５のいずれかに記載の撮像装置を備えたことを特徴とする携帯端末機。
【発明の詳細な説明】
【技術分野】
【０００１】
本発明は、撮像素子に光を導くことのできる撮像レンズ、撮像レンズを備えた撮像装置、及び撮像装置を備えた携帯端末機に関し、特にフォーカシングが可能である撮像レンズ、撮像レンズを備えた撮像装置、及び撮像装置を備えた携帯端末機に関するものである。
【背景技術】
【０００２】
従来から、小型で薄型の撮像装置が携帯電話機やＰＤＡ（Ｐｅｒｓｏｎａｌ  Ｄｉｇｉｔａｌ  Ａｓｓｉｓｔａｎｔ）等携帯端末機に搭載されるようになり、これにより遠隔地へ音声情報だけでなく画像情報も相互に伝送することが可能となっている。これらの撮像装置に使用される撮像素子としては、ＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が使用されている。近年、これらの撮像装置には、さらなる小型化への要求とともに、オートフォーカス機能を搭載することへの要求が高まっている。【０００３】
オートフォーカス機能を達成するために、例えば、特許文献１では、携帯電話機に用いられる撮像装置は、撮像レンズを光軸に沿う方向に移動させて、被写体にピントを合わせることができるようになっている。この撮像装置は、複数のレンズからなる撮像レンズと、撮像レンズを保持するレンズホルダと、レンズホルダに螺合する回転筒と、回転筒を回転駆動するステッピングモータとを備えている。ステッピングモータが回転筒を回転させると、レンズホルダが光軸方向に直進移動し、撮像レンズは最適なピント位置まで光軸上を移動し停止する。このようにしてオートフォーカス機能が実行されることになる。【０００４】
しかしながら、上述の先行技術では、撮像レンズの外径側に回転筒を配置し、更にその外側にステッピングモータを配置しているため、撮像レンズの径方向の寸法が大きくなっている。また、上述の先行技術では、撮像素子側レンズも、レンズホルダとともに光軸方向に直進移動するので、撮像素子側レンズの移動に伴って像面近傍の空間に空気が流入し、像面近傍に塵埃が付着することがある。【０００５】
そこで特許文献２では、撮像装置を小型にするため、撮像レンズは、被写体側より順に、開口絞りと、正のパワーを有した第１レンズと、負のパワーを有する第２レンズと、正のパワーを有する第３レンズと、負のパワーを有する第４レンズとを有して、第１レンズのみを光軸方向に移動させることにより、フォーカシングしている。第１レンズが、その外径が最も小さいレンズであるため、第１レンズの径方向の外方にアクチュエータを配置しても、撮像装置が大型化することがない。【０００６】
近年、撮像装置は小型化とともに、撮像素子の高画素化により、撮像レンズの高解像化の要求が高まっている。特に、マクロ等の近接撮像時におけるＭＴＦ（Ｍｏｄｕｌａｔｉｏｎ  Ｔｒａｎｓｆｅｒ  Ｆｕｎｃｔｉｏｎ）特性等の光学性能の向上や、Ｆｎｏの小さい（明るい）撮像レンズが必要になっている。しかしながら、このような要求に対して、上述した先行技術では、第１レンズのみを移動させてフォーカシングを行っているために、撮像素子上の像面で像高の大きい位置（軸外位置）では、軸上位置に比べてＭＴＦ特性が著しく低下する。更に、フォーカシング時には、レンズの駆動機構によって撮像レンズは光軸に対して偏芯して移動することがある。フォーカシングレンズが偏芯、特に光軸に対して傾く（チルト偏芯する）と、軸上位置に対して軸外位置の焦点がずれて、フォーカシングによるＭＴＦ特性が低下する。特に、Ｆｎｏの小さい撮像レンズではＭＴＦ特性が顕著に低下する。このチルト偏芯によるＭＴＦ特性等の光学性能への影響（偏芯感度）は、単体レンズを移動させる場合には、著しく大きくなる。従って、上述の先行技術では、第１レンズのみを移動させるので、偏芯感度が大きくなり、光学性能が低下し、さらにＦｎｏの小さい撮像レンズに適用することが難しいという問題があった。
【先行技術文献】
【特許文献】
【０００７】
【特許文献１】特開２００６−９１０６７号公報（段落［００１６］、［００２１］〜［００２３］、図４）
【特許文献２】特開２００７−４７２６６号公報（段落［００３４］、図２）
【発明の概要】
【発明が解決しようとする課題】
【０００８】
本発明は、上記のような課題を解決するためになされたものであり、小型で、レンズの傾きによる偏芯感度を抑え、近接撮像時も含めて光学性能が良好である撮像レンズ、及びそれを備えた小型である撮像装置、及び撮像装置を備えた携帯端末機を提供することを目的とする。
【課題を解決するための手段】
【０００９】
１．被写体からの光を撮像素子上に結像させる撮像レンズにおいて、
最も撮像素子側のレンズを固定するとともに、最も被写体側のレンズを含む複数のレンズを有するフォーカスレンズ群を光軸方向に移動させることによりフォーカシングを行うことを特徴とする撮像レンズ。【００１０】
２．前記フォーカスレンズ群は少なくとも３枚のレンズを備えることを特徴とする１に記載の撮像レンズ。【００１１】
３．最も被写体側のレンズの径が、最も撮像素子側のレンズの径よりも小さいことを特徴とする１または２に記載の撮像レンズ。【００１２】
４．撮像素子上の像面における最大像高をＹ、無限遠被写体にフォーカシングしたときの、最も被写体側レンズ面の面頂点から像面までの光軸上の距離をＴＬで表すときに、
０．４＜Ｙ／ＴＬ＜０．８
の関係を満たすことを特徴とする１〜３のいずれかに記載の撮像レンズ。【００１３】
５．フォーカスレンズ群の焦点距離をｆｍ、撮像レンズの全系の焦点距離をｆで表すときに、
０．５＜ｆｍ／ｆ＜１．５
の関係を満たすことを特徴とする１〜４のいずれかに記載の撮像レンズ。【００１４】
６．フォーカスレンズ群の最も像側に位置するレンズの焦点距離をｆｍｉ、撮像レンズの全系の焦点距離をｆで表すときに、
１＜｜ｆｍｉ／ｆ｜＜１５
の関係を満たすことを特徴とする１〜５のいずれかに記載の撮像レンズ。【００１５】
７．フォーカスレンズ群の最も像側のレンズ面の曲率半径をｒｍ、固定されるレンズの最も被写体側のレンズ面の曲率半径をｒｆで表すときに、
０．３＜ｒｍ／ｒｆ＜５
の関係を満たすことを特徴とする１〜６のいずれかに記載の撮像レンズ。【００１６】
８．被写体側から順に、正のパワーを有し被写体側に凸面を向けた第１レンズと、負のパワーを有する第２レンズと、正又は負のパワーを有する第３レンズと、正又は負のパワーを有する第４レンズと、一方の面が光軸との交点以外の位置に変曲点を有する非球面形状である第５レンズとを備えることを特徴とする１〜７のいずれかに記載の撮像レンズ。【００１７】
９．被写体側から順に、正のパワーを有し被写体側に凸面を向けた第１レンズと、負のパワーを有し像側に凹面を向けた第２レンズと、正又は負のパワーを有する第３レンズと、正パワーを有し像側に凸面を向けた第４レンズと、負のパワーを有し像側に凹面を向けた第５レンズとを備え、前記フォーカスレンズ群は前記第１〜第３レンズからなることを特徴とする１〜８のいずれかに記載の撮像レンズ。【００１８】
１０．被写体側から順に、正のパワーを有し被写体側に凸面を向けた第１レンズと、負のパワーを有し被写体側に凹面を向けた第２レンズと、正のパワーを有する第３レンズと、正又は負のパワーを有する第４レンズと、正又は負のパワーを有する第５レンズとを備え、前記フォーカスレンズ群は前記第１〜第４レンズからなることを特徴とする１〜８のいずれかに記載の撮像レンズ。【００１９】
１１．１〜１０のいずれかに記載の撮像レンズと、前記フォーカスレンズ群を駆動するアクチュエータとを備える撮像装置。【００２０】
１２．前記撮像レンズは少なくとも５枚のレンズを備えることを特徴とする１１に記載の撮像装置。【００２１】
１３．前記アクチュエータは圧電素子を含むことを特徴とする１１または１２に記載の撮像装置。【００２２】
１４．前記アクチュエータはボイスコイルモータを含むことを特徴とする１１または１２に記載の撮像装置。【００２３】
１５．前記アクチュエータは形状記憶合金を含むことを特徴とする１１または１２に記載の撮像装置。【００２４】
１６．１１〜１５のいずれかに記載の撮像装置を備えたことを特徴とする携帯端末機。
【発明の効果】
【００２５】
請求項１に記載の発明によれば、フォーカシングレンズ群を複数のレンズで構成することで、フォーカスレンズ群の各レンズが有する偏芯感度を互いに打ち消すように配置して、フォーカシングレンズ群全体の偏芯感度を小さくすることができる。フォーカシングレンズ群の偏芯感度が小さくなると、レンズ及び機構部材の製造、組立時の偏芯感度による光学性能の劣化を抑えることができる。また、近接撮像へのレンズ移動量が小さくなり、撮像レンズの全長が短くなるとともに、フォーカスレンズ群の外径側にレンズ駆動機構を配置するスペースが形成され、更に、撮像レンズの径方向に小さくなり、撮像レンズを組み込む撮像装置を小型にすることができる。更に撮像素子側のレンズを固定することで、レンズ駆動機構のモータ等の負荷を軽減することができる。【００２６】
また、最も撮像素子側のレンズを固定することで、この撮像素子側レンズと撮像素子によって、像面近傍の空間を封止することが可能となり、像面近傍に付着する塵埃を減少させることができる。また、撮像レンズ内に塵埃が進入しても、最も撮像素子側のレンズを含む固定レンズの被写体側に付着することになり、塵埃は像面から離れているので、光学性能を劣化させるおそれがない。更に、最も撮像素子側のレンズはフォーカシング時に移動させなくてすみ、外径の大きいレンズの外径側にレンズ駆動機構を配置する必要がないので、撮像装置を径方向に小さくすることができる。【００２７】
また、請求項２に記載の発明によれば、少なくとも３枚のレンズをフォーカスレンズ群とすることで、フォーカスレンズ群の偏芯感度が低減し、また、フォーカシング時の各種収差変動が抑制されるので、光学性能が良好である。【００２８】
被写体距離に伴う光学性能の変動を抑えるためには、極力可動郡内で各種収差を補正することが必要である。レンズ枚数を３枚とすることにより、特に像面湾曲や非点収差の補正が良好になる。なお、望ましくは正・負・正の順にレンズを配置することが望ましい。この構成は、所謂トリプレットタイプと呼ばれ、上記収差補正に加えて、球面収差や歪曲収差の補正にも適している。【００２９】
また、請求項３に記載の発明によれば、最も被写体側のレンズの外径側にレンズ駆動機構を配置するスペースが形成され、撮像レンズを組み込む撮像装置を小型にすることができる。【００３０】
また、請求項４に記載の発明によれば、式（１）の上限を上回ると、無限遠から近接までの撮像時に光学性能変動を抑制することが困難となる。また、偏芯感度を低減させることが困難となり、レンズ及び機構部材の製造及び組立誤差に伴う光学性能劣化が顕著となる。一方、式（１）の下限を下回ると、フォーカスレンズ群のパワーが弱まるため、近接撮像までのフォーカスレンズ群の移動量が増大し、撮像レンズの全長を短くするのが困難となる。式（１）を満たすことで、無限遠から近接までの撮像時、光学性能変動が抑制され、またフォーカスレンズ群が適切な移動量となる。【００３１】
また、請求項５に記載の発明によれば、式（２）の上限を上回ると、フォーカスレンズ群のパワーが弱くなり過ぎ、近接撮像までのフォーカスレンズ群の移動量が増大し、撮像レンズの全長を短くするのが困難となる。一方、式（２）の下限を下回ると、フォーカスレンズ群のパワーが強くなり過ぎ、フォーカスレンズ群を複数レンズで構成しても、偏芯感度を低減させることが難しくなり、レンズ及び機構部材の製造及び組立誤差に伴う光学性能劣化が顕著となる。式（２）を満たすことで、フォーカスレンズ群が適切な移動量となり、またフォーカスレンズ群の偏芯感度が低減する。【００３２】
また、請求項６に記載の発明によれば、式（３）の上限及び下限を超えると、いずれの場合も、フォーカスレンズ群の光軸上の移動に伴って、フォーカスレンズ群の後方に配置される固定レンズ群に入射する光線高さの変動が大きくなるため、像面湾曲が増大し、光学性能が劣化する。式（３）を満たすことで、フォーカシングによる像面湾曲の増大が抑えられる。【００３３】
また、請求項７に記載の発明によれば、式（４）の上限及び下限を超えると、いずれの場合も、フォーカシング時の光学性能変動が大きくなり、特に球面収差や軸外コマ収差の変動が大きくなり、光学性能が劣化する。式（４）を満たすことで、フォーカシング時の光学性能変動、特に球面収差や軸外コマ収差の変動が抑えられる。【００３４】
また、請求項８に記載の発明によれば、第５レンズがレンズ周辺部で変曲点を有する非球面形状であることにより、画面周辺部での諸収差が良好に補正されるとともに、像面に入射する光束のテレセントリック性が確保されるので、５枚のレンズを備える撮像レンズであっても、小型になり、シェーディングが抑制される。【００３５】
また、請求項９に記載の発明によれば、第１〜第４レンズで正の合成パワーとし、第５レンズに負のパワーを配置した、いわゆるテレフォトタイプのレンズ構成とすることにより、撮像レンズ全長を短くすることができる。また、２枚の負レンズを配置することで、発散作用を有する面を多くして、ペッツバール和を補正し、画面周辺部まで良好な結像性能を確保することができる。更に、フォーカシング時に第１〜第３レンズを一体で移動させることで、近接撮像時の光学性能を良好に保つとともに、フォーカスレンズ群の偏芯感度が抑えられ、偏芯感度による光学性能の劣化を抑えることができる。【００３６】
また、請求項１０に記載の発明によれば、第１レンズとともに第３レンズにも正のパワーを有するようにして、パワーを強くすることにより、撮像レンズ全長を短くすることができ、またフォーカシングレンズ群の移動量を小さくすることができる。フォーカスレンズ群のパワーが強くなっても、第１〜第４レンズが有する偏芯感度を互いに打ち消すように配置することにより、フォーカシングレンズ群全体の偏芯感度を小さくすることができる。また、通常、第１レンズの正パワーを抑制すると、軸外光は第２レンズには大きい傾斜角で入射するが、第２レンズの被写体側レンズ面を凹面とすることで、軸外光の上光線とレンズ面の法線とのなす角度を小さくし、軸外収差の発生を抑えている。これにより、周辺光量も確保することができる。更に、フォーカシング時に第１〜第４レンズを一体で移動させることで、近接撮像時の光学性能を良好に保つとともに、フォーカスレンズ群の偏芯感度が抑えられ、偏芯感度による光学性能の劣化を抑えることができる。【００３７】
また、請求項１１に記載の発明によれば、外径の小さいフォーカスレンズ群の外径側にアクチュエータを配置することが可能になるので、撮像装置を径方向に小型にすることができる。【００３８】
また、請求項１２に記載の発明によれば、撮像レンズは少なくとも５枚のレンズを備えることで、フォーカスレンズ群の偏芯感度を低減させ、偏芯感度による光学性能の劣化を抑えることが可能となり、また無限遠と近接の両撮像時での光学性能が良好に保たれる。【００３９】
また、請求項１３に記載の発明によれば、アクチュエータは圧電素子を含むことで、高精度駆動が可能であり、撮像装置を小型にすることができる。【００４０】
また、請求項１４に記載の発明によれば、アクチュエータはボイスコイルモータを含むことで、高速・高精度駆動が可能であり、撮像装置を小型にすることができる。【００４１】
また、請求項１５に記載の発明によれば、アクチュエータは形状記憶合金を含むことで、撮像装置を小型にすることができる。【００４２】
また、請求項１６に記載の発明によれば、小型で、レンズの傾きによる偏芯感度を抑え、近接撮像時も含めて光学性能を向上させた撮像装置を備えた携帯端末機にすることができる。
【図面の簡単な説明】
【００４３】
【図１】は、本発明の実施形態に係る撮像装置を示す斜視図である。
【図２】は、本発明の実施形態に係る撮像装置を用いた携帯端末機を示すブロック図である。
【図３】は、本発明の実施形態に係る撮像装置に用いられるレンズ鏡筒を示す断面図である。
【図４】は、本発明の実施形態に係る撮像装置に用いられる別のレンズ鏡筒を示す断面図である。
【図５】は、本発明の実施形態に係る撮像装置に用いられる更に別のレンズ鏡筒を示す断面図である。
【図６】は、本発明の撮像装置に用いられる第１実施形態の撮像レンズを示す断面図である。
【図７】は、本発明の撮像装置に用いられる第２実施形態の撮像レンズを示す断面図である。
【図８】は、本発明の撮像装置に用いられる第３実施形態の撮像レンズを示す断面図である。
【図９】は、本発明の撮像装置に用いられる第４実施形態の撮像レンズを示す断面図である。
【図１０】は、本発明の撮像装置に用いられる第５実施形態の撮像レンズを示す断面図である。
【図１１】は、本発明の撮像装置に用いられる第６実施形態の撮像レンズを示す断面図である。
【図１２】は、本発明の撮像装置に用いられる第７実施形態の撮像レンズを示す断面図である。
【図１３】は、本発明の第１実施形態に係る撮像レンズの収差を示す図である。
【図１４】は、本発明の第２実施形態に係る撮像レンズの収差を示す図である。
【図１５】は、本発明の第３実施形態に係る撮像レンズの収差を示す図である。
【図１６】は、本発明の第４実施形態に係る撮像レンズの収差を示す図である。
【図１７】は、本発明の第５実施形態に係る撮像レンズの収差を示す図である。
【図１８】は、本発明の第６実施形態に係る撮像レンズの収差を示す図である。
【図１９】は、本発明の第７実施形態に係る撮像レンズの収差を示す図である。
【発明を実施するための形態】
【００４４】
以下に本発明の実施形態について図面を参照して説明するが、本発明は、この実施形態に限定されない。また発明の用途やここで示す用語等はこれに限定されるものではない。
【００４５】
図１は本発明の実施形態に係る撮像装置を示す斜視図であり、図２はこの撮像装置を搭載した携帯電話機を示すブロック図である。
【００４６】
図１に示すように、撮像装置５０は、固体撮像素子としてのイメージセンサを保持し、その電気信号の送受を行う基板５２と、基板５２に接続される外部接続用端子５４と、撮像レンズを保持するレンズ鏡筒２０とを備える。基板５２は支持平板５２ａとフレキシブル基板５２ｂとを有する。支持平板５２ａは後述するイメージセンサを保持し、フレキシブル基板５２ｂは、その一方側で支持平板５２ａに接続され、その他方側で外部接続用端子５４に接続されている。外部接続用端子５４は、撮像レンズを介してイメージセンサで受光した光に基づいて得られた輝度信号や色差信号等の画像信号を図２に示す携帯電話機１００の制御部１０１側に出力する。
【００４７】
図２に示すように、携帯端末機である携帯電話機１００は、各部を統括的に制御するとともに各処理に応じたプログラムを実行する制御部（ＣＰＵ）１０１と、番号等をキーにより指示・入力するための入力部６０と、所定のデータの他に撮像した画像や映像等を表示する表示部７０と、外部サーバとの間の各種の情報通信を実現するための無線通信部８０とを備える。更に、携帯電話機１００は、携帯電話機１００のシステムプログラムや各種処理プログラム及び端末ＩＤ等のデータを記憶している記憶部（ＲＯＭ）９１と、制御部１０１によって実行される各種処理プログラムや処理データ、または撮像装置５０からの撮像データ等を一時的に格納する作業領域として用いられる一時記憶部（ＲＡＭ）９２と、撮像装置５０とを備えている。携帯電話機１００の外面には液晶等からなる表示部７０が設けられ、表示部７０の背面側には撮像装置５０が設けられる。
【００４８】
次に、撮像装置５０に用いられるレンズ鏡筒について図３を用いて説明する。図３はレンズ鏡筒２０を示す断面図であり、図３の上側が被写体側である。
【００４９】
レンズ鏡筒２０は、その下端側で接着剤によって支持平板５２ａに固定され、支持平板５２ａとともにイメージセンサ５１を内包する。レンズ鏡筒２０と支持平板５２ａによって内部を遮光することによって、支持平板５２ａに取り付けられたイメージセンサ５１が、撮像レンズ１０から入射する光のみを受光するようになる。
【００５０】
イメージセンサ５１は、撮像素子としてのＣＭＯＳ型イメージセンサからなり、画素（光電変換素子）が２次元的に配置された受光部と、その周囲に形成される信号処理回路を備える。イメージセンサ５１はＣＣＤ型イメージセンサでもよい。イメージセンサ５１は、受光部で撮像レンズ１０から入射する被写体光を光電変換し、信号処理回路によって、信号電荷をＡ／Ｄ変換するとともに輝度信号や色差信号等の画像信号に変換する。イメージセンサ５１はワイヤによって支持平板５２ａの表面に設けられた多数の信号伝達用パッドに接続され、前記画像信号を携帯電話機の制御部に出力することを可能にしている。
【００５１】
レンズ鏡筒２０は、固定筒２１と、撮像レンズ１０の被写体側（図３の上側）の複数レンズ（フォーカスレンズ群）１１を保持するフォーカスレンズ筒２２と、アクチュエータを構成する圧電素子２３等を備える。
【００５２】
固定筒２１は、撮像レンズ１０のイメージセンサ５１側のレンズ（固定レンズ群）１３を保持し、更に固定レンズ群１３とイメージセンサ５１との間でＩＲカットフィルタや光学的ローパスフィルタ等のフィルタＦを保持している。ＩＲカットフィルタは赤外光を遮断し可視光を透過させるものであり、イメージセンサ５１のパッケージにＩＲカットフィルタを一体に設けられるようにしてもよい。また、光学的ローパスフィルタはイメージセンサの画素ピッチにより決定される所定の遮断周波数特性を有し、イメージセンサでの色モアレの発生を抑えるものである。色モアレの発生が目立たないのであれば、光学的ローパスフィルタは省いてもよい。
【００５３】
更に、固定筒２１は光軸方向の延びる直進ガイド溝２１ａを有している。直進ガイド溝２１ａは、フォーカスレンズ筒２２の近傍に配設され、フォーカスレンズ筒２２に形成されたガイド突部２２ａに係合することによって、フォーカスレンズ筒２２を光軸方向に直進案内する。更に、固定筒２１は、直進ガイド溝２１ａの、光軸を挟んだ反対側で圧電素子２３を保持している。
【００５４】
圧電素子２３は、円柱状をなし、その一端側を固定筒２１のイメージセンサ５１側に接着によって固定保持され、その他端側で、光軸と平行に延びる駆動軸２５を接着で固定保持している。駆動軸２５には、フォーカスレンズ筒２２に形成されたスライダ孔２２ｂが光軸方向に移動自在に嵌装されている。圧電素子２３は、光軸方向に積層された圧電セラミックスによって構成され、電圧の印加に応じて積層方向に伸縮動作を行うアクチュエータとして機能する。圧電素子２３の伸縮動作によって、駆動軸２５が光軸方向に微振動する。駆動軸２５の微振動によって、スライダ孔２２ｂを介して、フォーカスレンズ筒２２は光軸方向に移動させられる。これにより、フォーカスレンズ筒２２は、直進ガイド溝２１ａに案内されて、光軸方向に直進移動し、撮像レンズ１０は近接位置にある被写体まで焦点を合わせることができる。
【００５５】
通常、携帯電話機に用いられる撮像レンズ１０は被写体側に絞りを備えるために、被写体側レンズ（フォーカスレンズ群）１１の有効径は、イメージセンサ５１側レンズ（固定レンズ群）１３の有効径より極端に小さくなっている。被写体側の複数レンズ１１をフォーカスレンズとして、フォーカスレンズを移動させるために、駆動軸２５、スライダ孔２２ｂ等の駆動部や、直進ガイド溝２１ａ、ガイド突部２２ａ等の移動案内機構をフォーカスレンズ筒２２の外径側に配設すると、撮像装置が大型化することはない。
【００５６】
次に、別のレンズ鏡筒について図４を用いて説明する。図４はレンズ鏡筒を示す断面図であり、図３に対して共通する構成については同じ符号を付けている。先の実施形態と異なるアクチュエータについて主に説明し、イメージセンサ５１、支持平板５２ａ、フィルタＦは先の実施形態と同じであり、図とともに説明を省略する。
【００５７】
本実施形態において、アクチュエータはボイスコイルモータ２２３を含む。ボイスコイルモータ２２３は、フォーカスレンズ筒２２の半径方向外方に配設される。更に、ボイスコイルモータ２２３は磁石２２４とコイル２２５とを備える。磁石２２４は、図示しないヨークを介して固定筒２１に固定保持される。コイル２２５は、移動筒２２２の外周に磁石２２４と対向して取り付けられる。そして、移動筒２２２はフォーカスレンズ筒２２の外径に固設されている。コイル２２５の上下方向の両側には、バネ部材２２６、２２７が設けられる。
【００５８】
バネ部材２２６、２２７は、中空の円板からなり、光軸方向に自在に曲げられる付勢力を有する。バネ部材２２６は、その外径端部を図示しないヨークに固定され、その内径端部を移動筒２２２の上方フランジ面に当接させている。また、バネ部材２２７は、その外径端部を図示しないヨークに固定され、その内径端部を移動筒２２２の下方フランジ面に当接させている。従ってコイル２２５はバネ部材２２６、２２７に挟持されることになる。
【００５９】
この状態から、コイル２２５に対し所定の方向に電流を流すことにより、コイル２２５と磁石２２４の間に電磁力が発生する。この電磁力により、コイル２２５は、バネ部材２２６、２２７の付勢力に抗して、光軸方向に移動する。コイル２２５とともに、移動筒２２２及びフォーカスレンズ筒２２も光軸方向に移動し、撮像レンズ１０は近接位置にある被写体まで焦点を合わせることができる。コイル２２５への通電を止めると、電磁力は解除され、移動筒２２２はバネ部材２２６、２２７の付勢力によって元の位置に戻り、撮像レンズ１０が無限遠撮像位置にリセットされる。
【００６０】
図３の実施形態と同様に本実施形態では、被写体側レンズ（フォーカスレンズ群）１１の有効径は、イメージセンサ側レンズ（固定レンズ群）１３の有効径より極端に小さくなっている。被写体側の複数レンズ１１をフォーカスレンズとして、フォーカスレンズを移動させるために、ボイスコイルモータ２２３等駆動機構をフォーカスレンズ筒２２の外径側に配設すると、撮像装置が大型化することはない。
【００６１】
次に、更に別のレンズ鏡筒について図５を用いて説明する。図５はレンズ鏡筒を示す断面図であり、図３に対して共通する構成については同じ符号を付けている。先の実施形態と異なるアクチュエータについて主に説明し、イメージセンサ５１、支持平板５２ａ、フィルタＦは先の実施形態と同じであり、図とともに説明を省略する。
【００６２】
本実施形態において、アクチュエータにはＳＭＡ（Ｓｈａｐｅ  Ｍｅｍｏｒｙ  Ａｌｌｏｙ）モータ３２３を用いている。ＳＭＡモータ３２３は、形状記憶合金からなるＳＭＡワイヤ３２４を備える。形状記憶合金は、外部から電力を供給することで任意に変形する合金である。形状記憶合金を用いたＳＭＡワイヤ３２４は、通電によって線材方向に縮長方向に変形することになる。
【００６３】
ＳＭＡワイヤ３２４は、その一端部を固定筒３２１に固定され、その他端部を駆動部材３２５に固定されている。
【００６４】
駆動部材３２５は、樹脂で半円型の帯状に形成され、その外周側のＶ字状溝にＳＭＡワイヤ３２４を張架している。駆動部材３２５の内周側には、Ｖ字状で周方向に延びる支持部３２５ｂが形成されている。支持部３２５ｂは固定筒３２１に形成された凸状の支持受け部３２１ｂに回転可能に係合している。ＳＭＡワイヤ３２４に電力を供給すると、ＳＭＡワイヤ３２４が縮長方向に変形し、このＳＭＡワイヤ３２４の縮長方向の変形によって、駆動部材３２５は、支持受け部３２１ｂに案内され、一方向に回転することになる。電力供給の中断により、ＳＭＡワイヤ３２４が元の形状（伸長）に戻ろうとするときに、図示しないバネの付勢力によって、駆動部材３２５が逆回転して、初期位置へ復帰することになる。
【００６５】
また、駆動部材３２５は、周方向に延びるカム部３２５ａ（図５の２点鎖線で示す）を有する。カム部３２５ａは光軸と直交する方向に対して傾斜した面を有し、移動筒３２２のカムフォロア３２２ａに常に当接している。カムフォロア３２２ａがカム部３２５ａに常に当接するように、移動筒３２２は図示しないバネ等の付勢部材でイメージセンサ側（図５の下方側）に押圧されている。駆動部材３２５が一方向に回転すると、カムフォロア３２２ａがカム部３２５ａの傾斜面を乗り上げて、移動筒３２２が光軸方向で被写体側（図５の上方側）に移動する。これによって、移動筒３２２とともにフォーカスレンズ筒２２も移動し、撮像レンズ１０は近接位置にある被写体まで焦点を合わせることができる。
【００６６】
図３の実施形態と同様に本実施形態では、被写体側レンズ（フォーカスレンズ群）１１の有効径は、イメージセンサ側レンズ（固定レンズ群）１３の有効径より極端に小さくなっている。被写体側の複数レンズ１１をフォーカスレンズとして、フォーカスレンズを移動させるために、ＳＭＡモータ３２３やその駆動機構等をフォーカスレンズ筒２２の外径側に配設すると、撮像装置が大型化することはない。
【００６７】
次に、上記レンズ鏡筒２０に保持される撮像レンズの構成について、図６〜図１２に基づいて説明する。図６〜図１２は、第１〜第７実施形態に係る無限遠位置にある撮像レンズの断面図である。図６〜図１２において、無限遠位置から近接位置へフォーカシングによるフォーカスレンズ群の移動を矢印で示す。
【００６８】
（第１実施形態）
図６に示すように、撮像レンズは、被写体側から順に、両凸形状の第１レンズＬ１と、開口絞りｓ３と、像側に凹面を向けたメニスカス形状の負のパワーを有する第２レンズＬ２と、像側に凸面を向けたメニスカス形状の正のパワーを有する第３レンズＬ３と、像側に凸面を向けたメニスカス形状の正のパワーを有する第４レンズＬ４と、両凹形状の第５レンズＬ５とから構成される。第１〜第５レンズＬ１〜Ｌ５の各面は非球面を有し、特に、第５レンズＬ５の像側面の非球面は、光軸との交点以外の位置に変曲点を有して、近軸で凹形状であり、レンズ周辺部で凸形状である。第１〜第３レンズＬ１〜Ｌ３はフォーカスレンズ群を構成し、近接撮像時に被写体側に一体で移動する。尚、Ｆは光学的ローパスフィルタやＩＲカットフィルタ等のフィルタを示し、Ｉは撮像素子上の像面を示す。尚、パワーとは焦点距離の逆数で定義される量である。
【００６９】
（第２実施形態）
図７に示すように、撮像レンズは、被写体側から順に、被写体側に凸面を向けた正のパワーを有する第１レンズＬ１と、開口絞りｓ３と、被写体側に凹面を向けた負のパワーを有する第２レンズＬ２と、両凸形状の第３レンズＬ３と、像側に凹面を向けたメニスカス形状の負のパワーを有する第４レンズＬ４と、両凹形状の第５レンズＬ５とから構成される。第１〜第５レンズＬ１〜Ｌ５の各面は非球面を有し、特に、第５レンズＬ５の像側面の非球面は、光軸との交点以外の位置に変曲点を有して、近軸で凹形状であり、レンズ周辺部で凸形状である。第４レンズＬ４及び第５レンズＬ５は、比較的にパワーが弱く非球面形状を有することで、正パワーで構成することもできる。第１〜第４レンズＬ１〜Ｌ４はフォーカスレンズ群を構成し、近接撮像時に被写体側に一体で移動する。尚、Ｆは光学的ローパスフィルタやＩＲカットフィルタ等のフィルタを示し、Ｉは撮像素子上の像面を示す。
【００７０】
（第３実施形態）
図８に示すように、撮像レンズは、被写体側から順に、両凸形状の第１レンズＬ１と、開口絞りｓ３と、像側に凹面を向けたメニスカス形状の負のパワーを有する第２レンズＬ２と、像側に凸面を向けたメニスカス形状の正のパワーを有する第３レンズＬ３と、像側に凸面を向けたメニスカス形状の正のパワーを有する第４レンズＬ４と、両凹形状の第５レンズＬ５とから構成される。第１〜第５レンズＬ１〜Ｌ５の各面は非球面を有し、特に、第５レンズＬ５の像側面の非球面は、光軸との交点以外の位置に変曲点を有して、近軸で凹形状であり、レンズ周辺部で凸形状である。第３レンズＬ３は、比較的にパワーが弱く非球面形状を有することで、負パワーで構成することもできる。第１〜第３レンズＬ１〜Ｌ３はフォーカスレンズ群を構成し、近接撮像時に被写体側に一体で移動する。尚、Ｆは光学的ローパスフィルタやＩＲカットフィルタ等のフィルタを示し、Ｉは撮像素子上の像面を示す。
【００７１】
（第４実施形態）
図９に示すように、撮像レンズは、被写体側から順に、開口絞りｓ１と、両凸形状の第１レンズＬ１と、像側に凹面を向けたメニスカス形状の負のパワーを有する第２レンズＬ２と、像側に凸面を向けたメニスカス形状の正のパワーを有する第３レンズＬ３と、像側に凸面を向けたメニスカス形状の正のパワーを有する第４レンズＬ４と、両凹形状の第５レンズＬ５とから構成される。第１〜第５レンズＬ１〜Ｌ５の各面は非球面を有し、特に、第５レンズＬ５の像側面の非球面は、光軸との交点以外の位置に変曲点を有して、近軸で凹形状であり、レンズ周辺部で凸形状である。第１〜第３レンズＬ１〜Ｌ３はフォーカスレンズ群を構成し、近接撮像時に被写体側に一体で移動する。尚、Ｆは光学的ローパスフィルタやＩＲカットフィルタ等のフィルタを示し、Ｉは撮像素子上の像面を示す。
【００７２】
（第５実施形態）
図１０に示すように、撮像レンズは、被写体側から順に、両凸形状の第１レンズＬ１と、開口絞りｓ３と、像側に凹面を向けたメニスカス形状の負のパワーを有する第２レンズＬ２と、像側に凸面を向けたメニスカス形状の正のパワーを有する第３レンズＬ３と、像側に凸面を向けたメニスカス形状の正のパワーを有する第４レンズＬ４と、両凹形状の第５レンズＬ５とから構成される。第１〜第５レンズＬ１〜Ｌ５の各面は非球面を有し、特に、第５レンズＬ５の像側面の非球面は、光軸との交点以外の位置に変曲点を有して、近軸で凹形状であり、レンズ周辺部で凸形状である。第３レンズＬ３は、比較的にパワーが弱く非球面形状を有することで、負パワーで構成することもできる。第１〜第３レンズＬ１〜Ｌ３はフォーカスレンズ群を構成し、近接撮像時に被写体側に一体で移動する。尚、Ｉは撮像素子上の像面を示し、本実施形態ではフィルタＦを備えていない。
【００７３】
（第６実施形態）
図１１に示すように、撮像レンズは、被写体側から順に、両凸形状の第１レンズＬ１と、開口絞りｓ３と、像側に凹面を向けたメニスカス形状の負のパワーを有する第２レンズＬ２と、像側に凸面を向けたメニスカス形状の正のパワーを有する第３レンズＬ３と、像側に凸面を向けたメニスカス形状の正のパワーを有する第４レンズＬ４と、両凹形状の第５レンズＬ５とから構成される。第１〜第５レンズＬ１〜Ｌ５の各面は非球面を有し、特に、第５レンズＬ５の像側面の非球面は、光軸との交点以外の位置に変曲点を有して、近軸で凹形状であり、レンズ周辺部で凸形状である。第１〜第３レンズＬ１〜Ｌ３はフォーカスレンズ群を構成し、近接撮像時に被写体側に一体で移動する。尚、Ｆは光学的ローパスフィルタやＩＲカットフィルタ等のフィルタを示し、Ｉは撮像素子上の像面を示す。
【００７４】
（第７実施形態）
図１２に示すように、撮像レンズは、被写体側から順に、被写体側に凸面を向けたメニスカス形状の正のパワーを有する第１レンズＬ１と、開口絞りｓ３と、像側に凹面を向けたメニスカス形状の負のパワーを有する第２レンズＬ２と、両凸形状の第３レンズＬ３と、像側に凸面を向けたメニスカス形状の正のパワーを有する第４レンズＬ４と、両凹形状の第５レンズＬ５とから構成される。第１〜第５レンズＬ１〜Ｌ５の各面は非球面を有し、特に、第５レンズＬ５の像側面の非球面は、光軸との交点以外の位置に変曲点を有して、近軸で凹形状であり、レンズ周辺部で凸形状である。第１〜第３レンズＬ１〜Ｌ３はフォーカスレンズ群を構成し、近接撮像時に被写体側に一体で移動する。尚、Ｆは光学的ローパスフィルタやＩＲカットフィルタ等のフィルタを示し、Ｉは撮像素子上の像面を示す。
【００７５】
上記実施形態の撮像レンズは、被写体側から順に、正のパワーを有し被写体側に凸面を向けた第１レンズＬ１と、負のパワーを有する第２レンズＬ２と、正又は負のパワーを有する第３レンズＬ３と、正又は負のパワーを有する第４レンズＬ４と、一方の面が光軸との交点以外の位置に変曲点を有する非球面形状である第５レンズＬ５とを備える。
【００７６】
この構成によると、小型にすることができる。また、第５レンズＬ５がレンズ周辺部で変曲点を有する非球面形状であることにより、画面周辺部での諸収差が良好に補正されるとともに、像面に入射する光束のテレセントリック性が確保されるので、５枚のレンズを備える撮像レンズであっても、小型になり、シェーディングが抑制される。
【００７７】
また、上記第１、及び第３〜第７実施形態の撮像レンズは、被写体側から順に、正のパワーを有し被写体側に凸面を向けた第１レンズＬ１と、負のパワーを有し像側に凹面を向けた第２レンズＬ２と、正又は負のパワーを有する第３レンズＬ３と、正のパワーを有し像側に凸面を向けた第４レンズＬ４と、負のパワーを有し像側に凹面を向けた第５レンズＬ５とを備え、第１〜第３レンズＬ１〜Ｌ３は近接撮像時に一体で被写体側に移動する。
【００７８】
この構成によると、第１〜第４レンズＬ１〜Ｌ４で正の合成パワーとし、第５レンズＬ５に負のパワーを配置して、いわゆるテレフォトタイプのレンズ構成とすることにより、撮像レンズ全長が短くすることができる。また、２枚の負レンズを配置することで、発散作用を有する面を多くして、ペッツバール和を補正し、画面周辺部まで良好な結像性能を確保することができる。
【００７９】
更に、フォーカシング時に第１〜第３レンズＬ１〜Ｌ３を一体で移動させることで、近接撮像時の光学性能を良好に保つことができる。また、フォーカシングレンズ群を３枚のレンズで構成することで、フォーカスレンズ群のパワーを強くして、近接撮像へのレンズ移動量を小さくことが可能となる。近接撮像へのレンズ移動量が小さいことによって、撮像レンズの全長が短くなるとともに、フォーカスレンズ群の外径側にレンズ駆動機構を配置するスペースが形成され、撮像レンズの径方向に小さくなり、撮像レンズを組み込む撮像装置を小型にすることができる。
【００８０】
上述のように、フォーカスレンズ群のパワーが強くなっても、フォーカシングレンズ群を３枚のレンズで構成することで、フォーカスレンズ群の各レンズが偏芯感度を互いに打ち消すように配置することが可能になり、フォーカシングレンズ群全体の偏芯感度を小さくすることができる。偏芯感度が小さくなると、レンズ及び機構部材の製造、組立時の偏芯感度による光学性能の劣化を抑えることができる。
【００８１】
また、上記第２実施形態の撮像レンズは、被写体側から順に、正のパワーを有し被写体側に凸面を向けた第１レンズＬ１と、負のパワーを有し被写体側に凹面を向けた第２レンズＬ２と、正のパワーを有する第３レンズＬ３と、正又は負のパワーを有する第４レンズＬ４と、正又は負のパワーを有する第５レンズＬ５とを備え、第１〜第４レンズＬ１〜Ｌ４は近接撮像時に一体で被写体側に移動する。
【００８２】
この構成によると、第１レンズＬ１とともに第３レンズＬ３にも正のパワーを有するようにして、パワーを強くすることにより、近接撮像へのレンズ移動量を小さくすることが可能となる。近接撮像へのレンズ移動量が小さいことによって、撮像レンズの全長が短くなるとともに、フォーカスレンズ群の外径側にレンズ駆動機構を配置するスペースが形成され、撮像レンズの径方向に小さくなり、撮像レンズを組み込む撮像装置を小型にすることができる。
【００８３】
上述のように、フォーカスレンズ群のパワーが強くなっても、フォーカシングレンズ群を４枚のレンズで構成することで、フォーカスレンズ群の各レンズが偏芯感度を互いに打ち消すように配置することが可能になり、フォーカシングレンズ群の偏芯感度を小さくすることができる。偏芯感度が小さくなると、レンズ及び機構部材の製造、組立時の偏芯感度による光学性能の劣化を抑えることができる。
【００８４】
通常、第１レンズＬ１の正パワーを抑制すると、軸外光は第２レンズＬ２には大きい傾斜角で入射するが、この構成では、第２レンズＬ２の被写体側レンズ面を凹面とすることで、軸外光の上光線とレンズ面の法線とのなす角度を小さくし、軸外収差の発生を抑えている。これにより、周辺光量も確保することができる。
【００８５】
また通常、像面の近傍では光線が集光するために、集光する光束の面積に対して、像面近傍に付着する塵埃の面積は相対的に大きくなり、塵埃による画像不良となりやすくなる。このため、像面近傍に付着することが許容される塵埃のサイズは高画素化に伴い、厳しくなる一方である。また塵埃対策には高度なクリーンルームや塵埃の除去工程の追加など、大幅なコスト増加を招いている。
【００８６】
そこで、上記実施形態のように、撮像レンズの最も像側のレンズを固定することで、像面近傍の空間を封止することが可能となり、像面近傍に付着する塵埃を大幅に減少させることができる。また、撮像レンズ内に塵埃が進入しても、最も像側のレンズを含む固定レンズの被写体側に付着することになり、塵埃は像面から離れているので、光学性能を劣化させるおそれがない。更に、最も像側のレンズは、撮像素子への入射角の関係から、撮像レンズの中で最もレンズ外径が大きくなる。しかし、本実施形態では、このレンズをフォーカシング時に移動させなくてすみ、外径の大きいレンズの外径側にレンズ駆動機構を配置する必要がないので、撮像装置を径方向に小さくすることができる。更に像側のレンズを固定することで、レンズ駆動機構のモータ等の負荷を軽減することができる。
【００８７】
また、本実施形態では、撮像レンズは少なくとも５枚のレンズを備えることで、フォーカスレンズ群の偏芯感度を低減させ、偏芯感度による光学性能の劣化を抑えることが可能となり、また無限遠と近接の両撮像時での光学性能が良好に保たれる。
【００８８】
また、本実施形態では、撮像素子上の像面における最大像高をＹ、無限遠被写体にフォーカシングしたときの、最も被写体側レンズ面の面頂点から像面までの光軸上の距離ＴＬで表すときに、
０．４＜Ｙ／ＴＬ＜０．８  ・・・式（１）
の関係を満たす。
【００８９】
式（１）の上限を上回ると、無限遠から近接の撮像時の光学性能変動を抑制することが困難となる。また、偏芯感度を低減することが困難となり、レンズ及び機構部材の製造及び組立誤差に伴う光学性能劣化が顕著となる。一方、件式（１）の下限を下回ると、フォーカスレンズ群のパワーが弱まるため、近接撮像までのフォーカスレンズ群の移動量が増大し、撮像レンズの全長を短くするのが困難となる。式（１）の範囲にあると、無限遠から近接の撮像時の光学性能変動が抑制され、フォーカスレンズ群が適切な移動量となる。
【００９０】
式（１）に代えて、式（１）’の関係を満たすようにすると一層好ましい。
０．５＜Ｙ／ＴＬ＜０．７  ・・・式（１）’
の関係を満たす。
【００９１】
また、本実施形態では、フォーカスレンズ群の焦点距離をｆｍ、撮像レンズの全系の焦点距離をｆで表すときに、
０．５＜ｆｍ／ｆ＜１．５  ・・・式（２）
の関係を満たす。
【００９２】
式（２）の上限を上回ると、フォーカスレンズ群のパワーが弱くなり過ぎ、近接撮像までのフォーカスレンズ群の移動量が増大し、撮像レンズの全長を短くするのが困難となる。一方、式（２）の下限を下回ると、フォーカスレンズ群のパワーが強くなり過ぎ、フォーカスレンズ群を複数レンズで構成しても、偏芯感度を低減することが難しくなり、レンズ及び機構部材の製造及び組立誤差に伴う光学性能劣化が顕著となる。式（２）の範囲にあると、フォーカスレンズ群が適切な移動量となり、フォーカスレンズ群の偏芯感度を低減させることができる。
【００９３】
式（２）に代えて、式（２）’の関係を満たすようにすると一層好ましい。
０．７＜ｆｍ／ｆ＜１．２  ・・・式（２）’
また、本実施形態では、フォーカスレンズ群の最も像側に位置するレンズの焦点距離をｆｍｉで表すときに、
１＜｜ｆｍｉ／ｆ｜＜１５  ・・・式（３）
の関係を満たす。
【００９４】
式（３）の上限及び下限を超えると、いずれの場合も、フォーカスレンズ群の光軸上の移動に伴って、フォーカスレンズ群の後方に配置される固定レンズ群に入射する光線高さの変動が大きくなるため、像面湾曲が増大し、光学性能が劣化する。式（３）の範囲にあると、フォーカシングによる像面湾曲の増大が抑えられる。
【００９５】
式（３）に代えて、式（３）’の関係を満たすようにすると一層好ましい。
１．２＜｜ｆｍｉ／ｆ｜＜１０  ・・・式（３）’
また、本実施形態では、フォーカスレンズ群の最も像側のレンズ面の曲率半径をｒｍ、固定されるレンズの最も被写体側のレンズ面の曲率半径をｒｆで表すときに、
０．３＜ｒｍ／ｒｆ＜５  ・・・式（４）
の関係を満たす。
【００９６】
式（４）の上限及び下限を超えると、いずれの場合も、フォーカシング時の光学性能変動が大きくなり、特に球面収差や軸外コマ収差の変動が大きくなり、光学性能が劣化する。式（４）の範囲にあると、フォーカシング時の光学性能変動、特に球面収差や軸外コマ収差の変動が抑えられる。
【００９７】
式（４）に代えて、式（４）’の関係を満たすようにすると一層好ましい。
０．６＜ｒｍ／ｒｆ＜４  ・・・式（４）’
【実施例】
【００９８】
本発明の撮像レンズの構成を、実施例のレンズ構成データ及び収差図を用いて、更に具体的に説明する。尚、本発明はこれら実施例に何ら限定されるものではない。実施例１〜７は、夫々上記第１〜第７実施形態、及び図６〜図１２に対応している。【００９９】
実施例１〜７の撮像レンズの無限遠被写体にフォーカシングしたときの仕様、及びレンズ構成を、面データと、非球面データと、各種データ、及び単レンズデータで下記に示す。【０１００】
面データは、左側の欄から順に、面番号ｓ、曲率半径ｒ（単位ｍｍ）、軸上での面間隔ｄ（単位ｍｍ）、ｄ線(波長５８７．５６ｎｍ)に対する屈折率ｎｄ、ｄ線に対するアッベ数ｖｄを示す。面番号に*を付した面は非球面を有することを示す。【０１０１】
非球面は下記の［数１］で定義している。【０１０２】
【数１】
2010143459.tif 000003
【０１０３】
ここで、ｈは光軸に対して垂直な方向の高さ、Ｘは高さｈの位置での光軸方向の変位量（面頂点基準）、Ｒは近軸曲率半径、Ｋは円錐係数、Ａｉはｉ次の非球面係数である。各実施例の非球面に関するデータを表２、４、６、８、１０、１２、１４に示す。各表において、１０のべき乗数（例えば、２．５×１０−３）を、ｅ（例えば、２．５ｅ−００３）を用いて示している。【０１０４】
各種データに示す記号は下記の通りである。
Ｆｌ：撮像レンズの全系の焦点距離（単位ｍｍ）
Ｆｎｏ：Ｆナンバー
ｗ：半画角（単位  °）
ｙ  ｍａｘ：像面の最大像高（単位ｍｍ）
ＴＬ：最も被写体側レンズ面の面頂点から像面までの光軸上の距離、尚、ＴＬに含まれるバックフォーカスは空気換算した距離（単位ｍｍ）
ＢＦ：空気換算したバックフォーカスの距離（単位ｍｍ）
（実施例１）
単位  ｍｍ
［面データ］
面番号(s) r d nd vd
物面 ∞ ∞
1* 2.110 0.710 1.54470 56.15
2* -12.785 0.020
3 (絞り) ∞ 0.065
4* 4.589 0.300 1.63200 23.41
5* 1.796 0.410
6* -11.620 0.710 1.54470 56.15
7* -2.780 0.655
8* -1.739 0.710 1.54470 56.15
9* -1.083 0.540
10* -3.659 0.450 1.54470 56.15
11* 2.252 0.600
12 ∞ 0.145 1.51633 64.14
13 ∞ 0.385
像面 ∞
［非球面データ］
面番号s1
K=1.3735e-001 A4=-1.3036e-003 A6=-2.4955e-003 A8=-1.8625e-003 A10=1.6362e-003 A12=1.8966e-003 A14=-3.7150e-003 A16=0.0000e+000
面番号s2
K=1.9838e+001 A4=2.2024e-002 A6=-4.0466e-003 A8=-3.1273e-003 A10=-5.2809e-003 A12=-1.4438e-002 A14=1.8082e-003 A16=0.0000e+000
面番号s4
K=-3.3496e+000 A4=-5.2590e-002 A6=6.3796e-002 A8=-3.5780e-002 A10=-2.4538e-002 A12=-2.9979e-002 A14=3.7822e-002 A16=0.0000e+000
面番号s5
K=-5.3443e+000 A4=2.9361e-002 A6=4.1589e-002 A8=-1.4496e-002 A10=-1.8974e-002 A12=9.2883e-003 A14=-7.1841e-004 A16=0.0000e+000
面番号s6
K=-2.4906e+001 A4=-2.8092e-002 A6=6.2970e-004 A8=2.4347e-002 A10=5.1055e-003 A12=1.9818e-003 A14=-3.8256e-003 A16=0.0000e+000
面番号s7
K=9.1778e-001 A4=-1.1965e-002 A6=6.0936e-004 A8=5.6509e-005 A10=1.8772e-003 A12=9.2145e-004 A14=1.5745e-004 A16=0.0000e+000
面番号s8
K=-3.2381e-002 A4=-1.8659e-002 A6=2.2732e-002 A8=2.8373e-003 A10=-2.1079e-003 A12=3.7337e-004 A14=8.3156e-005 0.0000e+000
面番号s9
K=-2.6643e+000 A4=-8.0075e-002 A6=2.7407e-002 A8=-1.6951e-003 A10=8.7135e-005 A12=-3.6247e-005 A14=5.2211e-007 A16=0.0000e+000
面番号s10
K=-2.9994e+001 A4=-4.1731e-002 A6=7.0260e-003 A8=-7.5662e-005 A10=-1.2628e-004 A12=2.2481e-005 A14=-1.3539e-006 A16=0.0000e+000
面番号s11
K=-1.2896e+001 A4=-2.9764e-002 A6=4.2341e-003 A8=-7.0746e-004 A10=8.4266e-005 A12=-6.3061e-006 A14=2.2426e-007 A16=0.0000e+000
［各種データ］
Fl 4.644
Fno. 2.884
w 37.004
y max 3.528
TL 5.656
BF 1.086
［単レンズデータ］
レンズ 面番号 焦点距離
1   1-2 3.382
2   4-5 -4.871
3   6-7 6.525
4   8-9 3.818
5 10-11 -2.492
無限遠から被写体距離１０ｃｍへのフォーカシング時、第１〜第３レンズは被写体側へ０．１８０ｍｍ移動する。
（実施例２）
単位  ｍｍ
［面データ］
面番号(s) r d nd vd
物面 ∞ ∞
1* 3.093 0.518 1.58913 61.24
2* 305.690 0.064
3 (絞り) ∞ 0.414
4* -3.524 0.350 1.63200 23.41
5* 7160.168 0.158
6* 5.164 1.139 1.54470 56.15
7* -2.255 0.088
8* 28.008 0.399 1.54470 56.15
9* 6.700 1.152
10* -102.361 0.619 1.54470 56.15
11* 2.233 0.455
12 ∞ 0.145 1.51600 64.10
13 ∞ 0.498
像面 ∞
［非球面データ］
面番号s1
K=-1.4241e+000 A4=-2.0579e-002 A6=-6.5954e-003 A8=-1.7022e-002 A10=1.5702e-002 A12=-1.1341e-002 A14=2.2460e-003 A16=0.0000e+000 A18=0.0000e+000 A20=0.0000e+000
面番号s2
K=-5.3530e+005 A4=-4.6670e-002 A6=-2.8532e-003 A8=-2.8012e-002 A10=5.4124e-002 A12=-5.2325e-002 A14=1.8235e-002 A16=0.0000e+000 A18=0.0000e+000 A20=0.0000e+000
面番号s4
K=-3.8460e+000 A4=-6.4781e-002 A6=1.1760e-001 A8=-1.2550e-001 A10=8.2698e-002 A12=5.1957e-003 A14=-3.3205e-002 A16=0.0000e+000 A18=0.0000e+000 A20=0.0000e+000
面番号s5
K=-2.4112e+009 A4=-1.0389e-001 A6=2.2431e-001 A8=-2.4444e-001 A10=2.0334e-001 A12=-9.9205e-002 A14=1.9871e-002 A16=-7.3342e-004 A18=-7.15304E-04 A20=6.00200E-04
面番号s6
K=-9.0503e+001 A4=-2.7118e-002 A6=2.8755e-002 A8=-1.7438e-002 A10=5.2812e-003 A12=-2.5675e-004 A14=-1.9077e-004 A16=0.0000e+000 A18=0.0000e+000 A20=0.0000e+000
面番号s7
K=-1.1139e-001 A4=-1.3314e-002 A6=-2.7155e-003 A8=-9.1250e-004 A10=-4.8037e-004 A12=-8.5373e-005 A14=3.7482e-005 A16=0.0000e+000 A18=0.0000e+000 A20=0.0000e+000
面番号s8
K=0.0000e+000 A4=-2.2349e-002 A6=-2.0542e-003 A8=-3.1736e-003 A10=2.1273e-004 A12=2.4503e-005 A14=-7.1008e-005 A16=0.0000e+000 A18=0.0000e+000 A20=0.0000e+000
面番号s9
K=0.0000e+000 A4=-1.3116e-002 A6=-9.0098e-004 A8=-5.2550e-004 A10=-8.1182e-005 A12=2.7656e-005 A14=-1.6089e-006 A16=0.0000e+000 A18=0.0000e+000 A20=0.0000e+000
面番号s10
K=0.0000e+000 A4=-1.2662e-001 A6=2.3965e-002 A8=-1.9989e-003 A10=-2.0814e-004 A12=9.4413e-005 A14=-6.6522e-006 A16=0.0000e+000 A18=0.0000e+000 A20=0.0000e+000
面番号s11
K=-8.8902e+000 A4=-4.5365e-002 A6=9.3394e-003 A8=-1.4017e-003 A10=1.1564e-004 A12=-4.8278e-006 A14=1.2485e-007 A16=0.0000e+000 A18=0.0000e+000 A20=0.0000e+000
［各種データ］
Fl 4.748
Fno. 2.884
w 37.952
y max 3.528
TL 5.949
BF 1.049
［単レンズデータ］
レンズ 面番号 焦点距離
1 1-2 5.300
2 4-5 -5.572
3 6-7 3.047
4 8-9 -16.276
5 10-11 -4.003
無限遠から被写体距離１０ｃｍへのフォーカシング時、第１〜第４レンズは被写体側へ０．１４５ｍｍ移動する。
（実施例３）
単位  ｍｍ
［面データ］
面番号(s) r d nd vd
物面 ∞ ∞
1* 1.741 0.911 1.54470 56.15
2* -15.045 0.020
3 (絞り) ∞ 0.070
4* 47.638 0.300 1.63200 23.41
5* 2.776 0.512
6* -7.760 0.495 1.63200 23.41
7* -5.471 0.524
8* -3.544 0.869 1.54470 56.15
9* -1.465 0.438
10* -2.939 0.450 1.54470 56.15
11* 3.241 0.600
12 ∞ 0.145 1.51633 64.14
13 ∞ 0.366
像面 ∞
［非球面データ］
面番号s1
K=5.6578e-002 A4=-3.8384e-003 A6=-2.4813e-003 A8=-2.6675e-003 A10=5.6963e-005 A12=4.5840e-004 A14=-9.6060e-004 A16=0.0000e+000
面番号s2
K=-3.0000e+001 A4=8.3920e-003 A6=3.4618e-003 A8=1.9778e-004 A10=-6.1346e-003 A12=-8.6245e-003 A14=6.8234e-003 A16=0.0000e+000
面番号s4
K=-3.0010e+001 A4=9.2225e-003 A6=4.5646e-002 A8=-2.8388e-002 A10=9.2717e-003 A12=-2.8557e-003 A14=-1.2337e-003 A16=0.0000e+000
面番号s5
K=-1.8989e+000 A4=2.4160e-002 A6=6.2322e-002 A8=-4.2455e-002 A10=5.2383e-002 A12=-1.3455e-002 A14=-6.4360e-004 A16=0.0000e+000
面番号s6
K=1.0151e+001 A4=-4.6549e-002 A6=-2.1802e-002 A8=3.8611e-002 A10=-9.2703e-003 A12=-3.1188e-002 A14=2.2473e-002 A16=0.0000e+000
面番号s7
K=3.2195e+000 A4=-2.8557e-002 A6=5.8197e-003 A8=1.3286e-003 A10=-6.1585e-004 A12=3.0164e-004 A14=-4.6265e-005 A16=0.0000e+000
面番号s8
K=1.1099e+000 A4=-3.1386e-002 A6=1.4448e-002 A8=-3.4807e-003 A10=-3.3301e-004 A12=2.5191e-004 A14=-2.9777e-006 A16=0.0000e+000
面番号s9
K=-2.8409e+000 A4=-3.9030e-002 A6=1.1960e-002 A8=-1.7698e-003 A10=2.9007e-004 A12=-2.9318e-005 A14=1.1551e-006 A16=0.0000e+000
面番号s10
K=-1.6643e+000 A4=-2.8402e-002 A6=1.0087e-002 A8=-4.5069e-004 A10=-1.6285e-004 A12=2.5189e-005 A14=-1.1050e-006 A16=0.0000e+000
面番号s11
K=-2.3016e+001 A4=-3.4067e-002 A6=5.1715e-003 A8=-6.7018e-004 A10=6.0510e-005 A12=-4.9001e-006 A14=2.4886e-007 A16=0.0000e+000
［各種データ］
Fl 5.136
Fno. 2.880
w 34.308
y max 3.528
TL 5.662
BF 1.073
［単レンズデータ］
レンズ 面番号 焦点距離
1 1-2 2.920
2 4-5 -4.677
3 6-7 27.087
4 8-9 3.996
5 10-11 -2.759
無限遠から被写体距離１０ｃｍへのフォーカシング時、第１〜第３レンズは被写体側へ０．２４３ｍｍ移動する。
（実施例４）
単位  ｍｍ
［面データ］
面番号(s) r d nd vd
物面 ∞ ∞
1 (絞り) ∞ 0.000
2* 2.035 0.740 1.54470 56.15
3* -17.714 0.050
4* 6.907 0.300 1.63200 23.41
5* 2.092 0.488
6* -24.385 0.748 1.54470 56.15
7* -3.666 0.434
8* -2.349 0.716 1.54470 56.15
9* -1.231 0.590
10* -16.054 0.450 1.54470 56.15
11* 1.550 0.600
12 ∞ 0.145 1.51633 64.14
13 ∞ 0.440
像面 ∞
［非球面データ］
面番号s2
K=3.3237e-001 A4=3.4378e-003 A6=3.8374e-003 A8=-3.5320e-003 A10=6.4216e-003 A12=1.0336e-002 A14=-9.8057e-003 A16=0.0000e+000
面番号s3
K=-3.0000e+001 A4=3.9813e-002 A6=-1.6793e-003 A8=1.6248e-002 A10=1.2872e-002 A12=-7.6262e-004 A14=-6.0888e-003 A16=0.0000e+000
面番号s4
K=-1.9269e+000 A4=-4.1546e-002 A6=3.6000e-002 A8=-1.4197e-003 A10=-1.3368e-003 A12=-1.8049e-003 A14=-1.4206e-003 A16=0.0000e+000
面番号s5
K=-6.4920e+000 A4=1.6004e-002 A6=2.7946e-002 A8=-1.0170e-002 A10=8.7064e-004 A12=-1.4371e-003 A14=8.7548e-004 A16=0.0000e+000
面番号s6
K=-3.0000e+001 A4=-2.6372e-002 A6=-1.2850e-003 A8=8.6676e-003 A10=2.0735e-003 A12=3.3470e-004 A14=-5.0924e-004 A16=0.0000e+000
面番号s7
K=1.1380e+000 A4=-1.4195e-002 A6=-4.0305e-003 A8=-1.3371e-004 A10=7.9556e-004 A12=2.8981e-004 A14=8.3163e-005 A16=0.0000e+000
面番号s8
K=-5.5814e-002 A4=1.4907e-002 A6=1.1162e-003 A8=6.5121e-004 A10=-2.7243e-004 A12=-3.9159e-005 A14=2.8576e-005 A16=0.0000e+000
面番号s9
K=-3.0900e+000 A4=-4.2743e-002 A6=1.8426e-002 A8=-2.2844e-003 A10=1.1276e-004 A12=-1.3921e-005 A14=4.8328e-006 A16=0.0000e+000
面番号s10
K=2.2413e+001 A4=-4.6008e-002 A6=7.2016e-003 A8=-1.5438e-004 A10=-1.1167e-004 A12=2.4325e-005 A14=-1.5890e-006 A16=0.0000e+000
面番号s11
K=-7.4294e+000 A4=-3.4065e-002 A6=6.2038e-003 A8=-9.1923e-004 A10=7.4308e-005 A12=-3.1095e-006 A14=6.1432e-008 A16=0.0000e+000
［各種データ］
Fl 4.549
Fno. 2.880
w 37.602
y max 3.528
TL 5.665
BF 1.149
［単レンズデータ］
レンズ 面番号 焦点距離
1 1-2 5.770
2 4-5 -4.866
3 6-7 7.821
4 8-9 3.874
5 10-11 -2.572
無限遠から被写体距離１０ｃｍへのフォーカシング時、第１〜第３レンズは被写体側へ０．２２３ｍｍ移動する。
（実施例５）
単位  ｍｍ
［面データ］
面番号(s) r d nd vd
物面 ∞ ∞
1* 1.666 0.820 1.54470 56.15
2* -18.998 0.020
3 (絞り) ∞ 0.070
4* 30.109 0.270 1.63200 23.41
5* 2.917 0.533
6* -4.011 0.483 1.63200 23.41
7* -3.572 0.450
8* -4.535 0.819 1.54470 56.15
9* -1.823 0.744
10* -1.697 0.450 1.62971 50.30
11* 519.551 0.327
12 ∞ 0.411
像面 ∞
［非球面データ］
面番号s1
K=-9.0835e-003 A4=-5.3029e-003 A6=6.1939e-004 A8=-8.8472e-003 A10=4.4408
e-004 A12=1.8605e-003 A14=-3.1735e-003 A16=0.0000e+000
面番号s2
K=-5.0000e+001 A4=6.4507e-003 A6=-9.5468e-003 A8=6.0733e-003 A10=-5.7496e-003 A12=-2.9120e-002 A14=2.3702e-002 A16=0.0000e+000
面番号s4
K=2.3045e+001 A4=2.9759e-002 A6=3.0766e-002 A8=-3.9498e-002 A10=6.8657e-002 A12=-5.6360e-002 A14=-5.0575e-004 A16=0.0000e+000
面番号s5
K=5.6138e-001 A4=3.7403e-002 A6=5.3414e-002 A8=-4.0337e-002 A10=9.3197e-002 A12=-4.3382e-002 A14=-2.6385e-004 A16=0.0000e+000
面番号s6
K=6.0547e+000 A4=-4.8941e-002 A6=-2.3104e-002 A8=5.1432e-002 A10=-7.3129e-003 A12=-4.6935e-002 A14=3.8891e-002 A16=0.0000e+000
面番号s7
K=2.0329e+000 A4=-2.2104e-002 A6=-2.8834e-004 A8=6.7031e-003 A10=1.4227e-003 A12=1.9302e-004 A14=-3.6898e-004 A16=0.0000e+000
面番号s8
K=-1.6798e+000 A4=-1.8481e-002 A6=1.2303e-002 A8=-4.0321e-003 A10=1.7316e-004 A12=2.5859e-004 A14=-6.1955e-005 A16=0.0000e+000
面番号s9
K=-2.7038e+000 A4=-2.3692e-002 A6=1.2174e-002 A8=-1.1857e-003 A10=5.1281e-005 A12=-2.6199e-005 A14=9.1959e-007 A16=0.0000e+000
面番号s10
K=-2.5193e+000 A4=-1.9368e-002 A6=7.4144e-003 A8=-2.9854e-004 A10=-9.5134e-005 A12=1.1269e-005 A14=-3.4300e-007 A16=0.0000e+000
面番号s11
K=2.9367e+004 A4=-2.6235e-002 A6=3.6566e-003 A8=-4.5778e-004 A10=3.2109e-005 A12=-2.2944e-006 A14=1.5566e-007 A16=0.0000e+000
［各種データ］
Fl 4.950
Fno. 2.888
w 35.453
y max 3.528
TL 5.397
BF 0.737
［単レンズデータ］
レンズ 面番号 焦点距離
1 1-2 2.852
2 4-5 -5.131
3 6-7 36.226
4 8-9 5.058
5 10-1 -2.686
無限遠から被写体距離１０ｃｍへのフォーカシング時、第１〜第３レンズは被写体側へ０．２２８ｍｍ移動する。
（実施例６）
単位  ｍｍ
［面データ］
面番号(s) r d nd vd
物面 ∞ ∞
1* 1.720 0.963 1.54470 56.15
2* -23.558 0.030
3 (絞り) ∞ 0.070
4* 47.467 0.300 1.63200 23.41
5* 2.945 0.608
6* -6.119 0.645 1.63200 23.41
7* -5.324 0.360
8* -1.991 0.684 1.54470 56.15
9* -1.322 0.449
10* -14.605 0.500 1.54470 56.15
11* 2.385 0.600
12 ∞ 0.145 1.51633 64.14
13 ∞ 0.662
像面 ∞
［非球面データ］
面番号s1
K=5.3402e-002 A4=-4.5821e-003 A6=-4.1569e-003 A8=-3.1982e-003 A10=6.0924e-004 A12=-7.3947e-004 A14=-5.5630e-004 A16=0.0000e+000
面番号s2
K=3.0000e+001 A4=-1.1722e-002 A6=6.4982e-003 A8=1.3633e-003 A10=-7.2007e-003 A12=-1.5553e-003 A14=1.9025e-003 A16=0.0000e+000
面番号s4
K=-3.0000e+001 A4=3.2885e-003 A6=4.4481e-002 A8=-1.9144e-002 A10=7.8797e-003 A12=-3.7681e-004 A14=1.0763e-004 A16=0.0000e+000
面番号s5
K=-6.5507e-001 A4=2.9332e-002 A6=5.5075e-002 A8=-2.1644e-002 A10=1.0862e-002 A12=2.0760e-002 A14=-1.0010e-003 A16=0.0000e+000
面番号s6
K=7.0484e+000 A4=-6.0050e-002 A6=-2.7703e-002 A8=7.2650e-003 A10=-5.1157e-003 A12=-4.3306e-003 A14=-6.8395e-003 A16=0.0000e+000
面番号s7
K=1.1434e+001 A4=-1.9137e-002 A6=-9.5346e-003 A8=4.5815e-003 A10=1.8352e-005 A12=-9.8397e-004 A14=2.0748e-004 A16=0.0000e+000
面番号s8
K=-1.5781e+000 A4=-6.3011e-003 A6=1.7851e-003 A8=8.1541e-004 A10=4.5137e-005 A12=-1.2833e-005 A14=-3.3164e-006 A16=0.0000e+000
面番号s9
K=-2.8206e+000 A4=-3.6014e-002 A6=1.7500e-002 A8=-2.7665e-003 A10=3.5659e-004 A12=-1.2952e-005 A14=-4.4673e-006 A16=0.0000e+000
面番号s10
K=1.4737e+001 A4=-3.9323e-002 A6=1.0290e-002 A8=-5.2607e-004 A10=-1.9505e-004 A12=3.7292e-005 A14=-1.9742e-006 A16=0.0000e+000
面番号s11
K=-1.3974e+001 A4=-3.9548e-002 A6=6.8986e-003 A8=-9.0503e-004 A10=8.0310e-005 A12=-5.9310e-006 A14=2.7988e-007 A16=0.0000e+000
［各種データ］
Fl 5.540
Fno. 2.883
w 32.259
y max 3.528
TL 5.966
BF 1.357
［単レンズデータ］
レンズ 面番号 焦点距離
1 1-2 2.983
2 4-5 -4.981
3 6-7 49.323
4 8-9 5.304
5 10-11 -3.726
無限遠から被写体距離１０ｃｍへのフォーカシング時、第１〜第３レンズは被写体側へ０．２７４ｍｍ移動する。
（実施例７）
単位  ｍｍ
［面データ］
面番号(s) r d nd vd
物面 ∞ ∞
1* 1.571 0.875 1.54470 56.15
2* 15.189 0.055
3 (絞り) ∞ 0.050
4* 7.824 0.100 1.63200 23.41
5* 1.950 0.308
6* 40.312 0.412 1.63200 23.41
7* -17.171 0.761
8* -5.611 1.021 1.54470 56.15
9* -1.402 0.584
10* -2.423 0.450 1.54470 56.15
11* 3.471 0.440
12 ∞ 0.145 1.51633 64.14
13 ∞ 0.516
像面 ∞
［非球面データ］
面番号s1
K=8.3130e-001 A4=-1.0268e-002 A6=-4.2689e-003 A8=-4.3147e-003 A10=4.2401e-003 A12=-2.4172e-003 A14=-7.5305e-004 A16=0.0000e+000
面番号s2
K=6.8651e+001 A4=8.9811e-002 A6=-2.9703e-002 A8=6.1974e-002 A10=-1.1922e-002 A12=2.5853e-002 A14=1.7162e-002 A16=0.0000e+000
面番号s4
K=-7.0000e+001 A4=-5.6006e-002 A6=1.0710e-001 A8=-1.7971e-001 A10=8.7586e-002 A12=-2.3393e-003 A14=9.7877e-005 A16=0.0000e+000
面番号s5
K=-8.8402e+000 A4=3.9474e-002 A6=7.2314e-002 A8=-1.2762e-001 A10=9.1917e-002 A12=-2.7951e-002 A14=2.6160e-004 A16=0.0000e+000
面番号s6
K=7.0000e+001 A4=-5.2533e-003 A6=-3.9345e-003 A8=2.2647e-002 A10=-9.9634e-003 A12=6.7941e-003 A14=-5.7345e-003 A16=0.0000e+000
面番号s7
K=-7.0000e+001 A4=-7.6440e-004 A6=8.4281e-003 A8=-1.8005e-002 A10=1.6989e-002 A12=-4.8745e-003 A14=-2.5855e-004 A16=0.0000e+000
面番号s8
K=3.2625e+000 A4=-1.6212e-002 A6=1.1989e-002 A8=-2.2181e-003 A10=-6.2548e-004 A12=4.6498e-004 A14=-7.1685e-005 A16=0.0000e+000
面番号s9
K=-2.8792e+000 A4=-4.2948e-002 A6=1.0855e-002 A8=-7.1437e-004 A10=4.3950e-004 A12=-7.5454e-005 A14=-1.0303e-006 A16=0.0000e+000
面番号s10
K=-7.5911e+000 A4=-4.3692e-002 A6=1.1221e-002 A8=-3.0259e-004 A10=-1.7435e-004 A12=2.2224e-005 A14=-8.5489e-007 A16=0.0000e+000
面番号s11
K=-2.2430e+001 A4=-2.5878e-002 A6=4.0604e-003 A8=-6.4925e-004 A10=7.1685e-005 A12=-4.1703e-006 A14=9.6628e-008 A16=0.0000e+000
［各種データ］
Fl 4.956
Fno. 2.880
w 35.169
y max 3.528
TL 5.666
BF 1.051
［単レンズデータ］
レンズ 面番号 焦点距離
1 1-2 3.146
2 4-5 -4.136
3 6-7 19.107
4 8-9 3.162
5 10-11 -2.551
無限遠から被写体距離１０ｃｍへのフォーカシング時、第１〜第３レンズは被写体側へ０．３５７ｍｍ移動する。【０１０５】
条件式（１）〜（４）に対応する各実施例の数値を表１に示す。【０１０６】
【表１】
2010143459.tif 000004
【０１０７】
実施例１〜７の収差図を図１３〜図１９に示す。各図（ａ）は、無限遠被写体にフォーカシングしたときの収差図であり、各図（ｂ）は、被写体距離１０ｃｍにフォーカシングしたときの収差図である。各収差図の球面収差における、線ｃはＣ線（波長６５６．２８ｎｍ）に対する収差量、線ｄはｄ線（波長５８７．５６ｎｍ)に対する収差量、線ｇはｇ線（波長４３５．８４ｎｍ）に対する収差量を表し、また、非点収差における線Ｔ及び線Ｓは夫々メリディオナル面およびサジタル面での収差量である。球面収差及び非点収差の横軸の単位はｍｍであり、歪曲収差の横軸の単位は百分率（％）である。【０１０８】
実施例１〜７は、無限遠被写体及び被写体距離１０ｃｍにフォーカシングしたとき、良好に収差が補正されている。
【産業上の利用可能性】
【０１０９】
本発明は、撮像素子に光を導くことのできる撮像レンズ、撮像レンズを備えた撮像装置、及び撮像装置を備えた携帯端末機に利用することができ、特にフォーカシングが可能である撮像レンズ、撮像レンズを備えた撮像装置、及び撮像装置を備えた携帯端末機に利用することができる。
【符号の説明】
【０１１０】
１０  撮像レンズ
１１  フォーカスレンズ群
１３  固定レンズ群
２０  レンズ鏡筒
２１  固定筒
２１ａ  直進ガイド溝
２２  フォーカスレンズ筒
２２ａ  ガイド突部
２２ｂ  スライダ孔
２３  圧電素子（アクチュエータ）
２５  駆動軸
５０  撮像装置
５１  イメージセンサ（撮像素子）
５２  基板
１００  携帯電話機（携帯端末機）
２２２  移動筒
２２３  ボイスコイルモータ（アクチュエータ）
２２４  磁石
２２５  コイル
２２６、２２７  バネ部材
３２１  固定筒
３２１ｂ  支持受け部
３２２  移動筒
３２２ａ  カムフォロア
３２３  ＳＭＡモータ（アクチュエータ）
３２４  ＳＭＡワイヤ
３２５  駆動部材
３２５ａ  カム部
３２５ｂ  支持部
Ｆ  フィルタ
Ｌ１〜Ｌ５  レンズ
ｓ１〜ｓ１３  面
【図１】
2010143459.tif 000005
【図３】
2010143459.tif 000006
【図２】
2010143459.tif 000007
【図４】
2010143459.tif 000008
【図５】
2010143459.tif 000009
【図６】
2010143459.tif 000010
【図７】
2010143459.tif 000011
【図８】
2010143459.tif 000012
【図９】
2010143459.tif 000013
【図１０】
2010143459.tif 000014
【図１１】
2010143459.tif 000015
【図１２】
2010143459.tif 000016
【図１３】
2010143459.tif 000017
【図１４】
2010143459.tif 000018
【図１５】
2010143459.tif 000019
【図１６】
2010143459.tif 000020
【図１７】
2010143459.tif 000021
【図１８】
2010143459.tif 000022
【図１９】
2010143459.tif 000023
【国際調査報告】
2010143459.tif 000024
2010143459.tif 000025
2010143459.tif 000026
2010143459.tif 000027
2010143459.tif 000028
2010143459.tif 000029
2010143459.tif 000030
2010143459.tif 000031